(57)【要約】【課題】本発明は、料理中に調理小物を一時置きする際、該調理小物の料理汁が付着した先部が何処にも触れることなく、また、料理汁が垂れ落ちることのないよう、しかも該調理小物の着脱が容易な調理小物保持具を得るにある。【解決手段】少なくともひとつの平面部を有する２ケの弾性素材からなる押圧体と、該押圧体のそれぞれの前記平面部を対向させて配置した状態を保持するカバー体とからなり、該カバー体は前記対向した平面部の正面及び両側面のそれぞれの稜線を開放するよう形成した開口部を持ち、該カバー体の前記開口部以外の外周面に係止させて壁部、棚部等の固定体に係止するための取り付け手段とで調理小物保持具を構成して構成している。【選択図】    図１  
2005278967.tif 000002
【特許請求の範囲】
【請求項１】
少なくともひとつの平面部を有する２ケの弾性素材からなる押圧体と、該押圧体のそれぞれの前記平面部を対向させて配置した状態を保持するカバー体とからなり、該カバー体は前記対向した平面部の正面及び両側面のそれぞれの稜線を開放するよう形成した開口部を持ち、該カバー体の前記開口部以外の外周面に係止させて壁部、棚部等の固定体に係止するための取り付け手段とからなることを特徴とする調理小物保持具。
【請求項２】
少なくともひとつの平面部を有する２ケの弾性体からなる押圧素材と、該押圧体のそれぞれの前記平面部を対向させて配置した状態を保持するカバー体とからなり、該カバー体は前記対向した平面部の正面及び両側面のそれぞれの稜線を開放するよう形成した開口部と、カバー体背面の一方の側端から前方にカバー体を延長して形成した当接片とを設け、該カバー体の前記開口部以外の外周面に係止させて壁部、棚部等の固定体に係止するための取り付け手段とからなることを特徴とする調理小物保持具。
【請求項３】
少なくともひとつの平面部を有する１ケの弾性素材からなる押圧体と、該平面部に対面する平面部を有した前記押圧体を保持するカバー体とからなり、該カバー体は前記対向した平面部の正面及び両側面のそれぞれの稜線を開放するよう形成した開口部を持ち、該カバー体の前記開口部以外の外周面に係止させて壁部、棚部等の固定体に係止するための取り付け手段とからなることを特徴とする調理小物保持具。
【請求項４】
少なくともひとつの平面部を有する１ケの弾性素材からなる押圧体と、該平面部に対面する平面部を有した前記押圧体を保持するカバー体とからなり、該カバー体は前記対向した平面部の正面及び両側面のそれぞれの稜線を開放するよう形成した開口部と、カバー体背面の一方の側端から前方にカバー体を延長して形成した当接片とを設け、該カバー体の前記開口部以外の外周面に係止させて壁部、棚部等の固定体に係止するための取り付け手段とからなることを特徴とする調理小物保持具。
【発明の詳細な説明】
【技術分野】
【０００１】
本発明は、調理に使う菜箸やスプーン等の小物の調理具を料理中一時的に保持する保持具に関する。
【背景技術】
【０００２】
従来、調理中に菜箸やスプーン等の調理小物を一時的に載置する保持具には、受け部材の上部に１ケ乃至複数の輪状の保持部品を配設し、該輪状の中に菜箸やスプーンを差し込んで前記受け部材で受け止めるものがあった。（例えば、特許文献１参照。）
しかし、調理小物の先は料理の汁や油、天ぷら粉、クリーム、ペースト（以下汁という）が付着しているので、受け部材が汁で汚れ室温によっては腐食やカビが発生することもあるので、頻繁に掃除しなければならないと言う欠点があった。
調理小物には、前記の菜箸やスプーンの他にフライ返し、小型のお玉、軽量スプーン、木べら、ゴムべら、ハケ、パレットナイフ等の比較的軽量、小型の調理道具をいう。
【０００３】
また、従来２つのブラシの毛材側を対向させその間に調理小物を差し込むものがあった。（例えば、特許文献２参照）
しかし、菜箸のように細い調理小物を差し込むと菜箸等が毛材の間に入り込んでしまい姿勢が不安定になる。また保持力を強くするには、対向する毛材同士を干渉させれば良いが、調理小物を横にしてブラシ間に少し押し込むと毛材に押し戻される。奥まで押し込めば調理小物の姿勢は安定するが、止めたい位置で手を離すと押し戻されるのでどこまで押し込めばよいかが分からない。特許文献２では対抗するブラシ間に調理小物を縦方向だけに差し込むよう構成されているので、該調理小物の先部側で汁の付かない位置で持ち替えて把持部の方から縦方向に差し込まなければならないという煩わしさがあった。  
【特許文献１】特開２００３−０３３２７１号公報（第４頁、図５）
【特許文献２】特開２０００−０００１７１号公報（第３頁、図４）
【発明の開示】
【発明が解決しようとする課題】
【０００４】
本発明は以上のような従来の欠点に鑑み、料理中に調理小物を一時置きする際、該調理小物の料理汁が付着した先部が何処にも触れることなく、また、料理汁が垂れ落ちることのないよう、しかも該調理小物の着脱が容易な調理小物保持具を提供することを目的としている。
【課題を解決するための手段】
【０００５】
上記目的を達成する為に、少なくともひとつの平面部を有する２ケの弾性素材からなる押圧体と、該押圧体のそれぞれの前記平面部を対向させて配置した状態を保持するカバー体とからなり、該カバー体は前記対向した平面部の正面及び両側面のそれぞれの稜線を開放するよう形成した開口部を持ち、該カバー体の前記開口部以外の外周面に係止させて壁部、棚部等の固定体に係止するための取り付け手段とで調理小物保持具を構成している。        
【発明の効果】
【０００６】
本発明によれば次のような効果が得られる。
【０００７】
（１）請求項１において、少なくともひとつの平面部を有する２ケの弾性素材からなる押圧体と、該押圧体のそれぞれの前記平面部を対向させて配置した状態を保持するカバー体とからなり、該カバー体は前記対向した平面部の正面及び両側面のそれぞれの稜線を開放するよう形成した開口部を持ち、該カバー体の前記開口部以外の外周面に係止させて壁部、棚部等の固定体に係止するための取り付け手段とで調理小物保持具を構成している。
従って、対抗する２つの押圧体の間に小物調理具を横方向にして押し込めば、押圧体はそれぞれ上側と下側に押し込まれ、希望する位置まで挿入された後に手を離せばその位置で調理小物は押圧体に押圧されて静止した状態で保持される。
また、調理小物は水平方向に保持されるので調理小物に付いた汁は下へ垂れて落下することはないので、汁受け皿を下部へ置く必要がなく、従って皿置きのスペースが不要である。
【０００８】
（２）請求項2において、調理小物を水平状態で横向きにして押し込む時正確に横方向を向かず、汁が付いた先部がカバー体を係止した壁部等に接触して壁部等を汚すことがあるが、本発明ではカバー体背面の一方の側端から前方にカバー体を延長して形成した当接片を設け、該当接片で調理小物の先部を停止するので汁が付いた先部が壁部等に接触して壁部等を汚すようなことはない。
【０００９】
（３）請求項３において、少なくともひとつの平面部を有する１ケの弾性素材からなる押圧体と、該平面部に対面する平面部を有した前記押圧体を保持するカバー体とからなり、該カバー体は前記対面した平面部の正面及び両側面のそれぞれの稜線を開放するよう形成した開口部を持ち、該カバー体の前記開口部以外の外周面に係止させて壁部、棚部等の固定体に係止するための取り付け手段とで調理小物保持具を構成している。
従って、押圧体が１つであっても押圧体とカバー体の間に小物調理具を横方向にして押し込めば、押圧体は押し戻され、希望する位置まで入り込んだら手を離せばその位置で調理小物は静止して保持される。
また、調理小物は水平方向に保持されるので調理小物に付いた料理汁は下へ垂れて落下することはないので、汁受け皿を下部へ置く必要がなく、従って皿置きのスペースが不要である。
【００１０】
（４）請求項４において、調理小物を水平状態で横向きにして押し込む時、正確に横方向を向かず汁が付いた先部がカバー体を係止した壁部等に接触して壁部等を汚すことがあるが、本発明ではカバー体の押圧体平面部に対面する平面部に接するように背面の一方の側端から前方にカバー体を延長して形成した当接片を設け、該当接片で調理小物の先部を停止するので汁が付いた先部が壁部等に接触して壁部等を汚すことはない。
【００１１】
（５）本発明の調理小物保持具の大きさはコンパクトであり設置場所を自由に選べるので、    吸盤４の代わりに両面接着シートやクリップあるいはビス止め等の取り付け手段と適宜に組み合わせれば、取り付け場所は壁部、棚部、ラック類、炊事台上等、調理中に手の届きやすい場所へ自由に設置できる。
【発明を実施するための最良の形態】
【００１２】
本発明は、図１、図２に示す押圧体１，１とカバー体３と取り付け手段４とで実施の主たる形態を構成している。
以下、本発明の実施の形態について説明する。なお、実施の形態は説明の都合上調理小物の代表として菜箸の場合を挙げて記述する。
【実施例１】
【００１３】
図１及び図２、図３、図４における本発明の第1の実施の形態において、平面部２、２を有する２ケの弾性素材からなる押圧体１、１と、該押圧体１、１のそれぞれの平面部２、２を対向させて配置した状態を保持するカバー体３とからなり、カバー体３は対向した平面部２、２の正面及び両側面のそれぞれの稜線２ａ、２ａを開放するよう正面と両側面に開口部を設け、カバー体３の背面に吸盤４を取り付けて図３に示す壁部５に吸着固定できるようにしたことで調理小物保持具Ａが構成されている。
押圧体１、１の対向させた平面部２、２の間に菜箸６を水平にして横向きの状態で正面から矢印Ｂの方向に移動して挿入すれば、手を離したときに菜箸６をそのままの状態で保持してくれる。
菜箸６は水平に保持されるので、先部７に付着している汁は最先端に流れていくことはないので下に垂れ落ちることはないから、垂れた汁を受ける受け皿を設置する必要がない。また受け皿がないので設置スペースが少なくて済む。
菜箸６を挿入する時のやり方は、調理作業で把持部８を手に持った状態のまま持ち替えることなく調理小物保持具Ａに挿入すれば良い。
図２は調理小物のうちスプーン６ａを保持させた時の状態図である。その他の調理小物も図１、図２と同様の方法で保持させることが出来る。
【実施例２】
【００１４】
次に本発明の異なる実施の形態について説明する。
なお、これらの本発明の異なる実施の形態の説明に当たって、前記本発明の実施例１の形態と同一構成部分には同一符号を付して重複する説明を省略する。              
【００１５】
図５における本発明の第２の実施の形態において、前記本発明の第１の実施の形態と主に異なる点は、吸盤４をカバー体３の上面に取り付けて、吸盤４を棚部９の下面に吸着固定しているので、前記第１の実施の形態と同様な作用効果が得られる。            
なお、吸盤４の代わりに両面接着シートやクリップあるいはビス止め等の取り付け手段を用いたとしても前記第１の実施の形態と同様な作用効果が得られる。
【実施例３】
【００１６】
図６及び図７、図８における本発明の第３の実施の形態において、前記本発明の第１の実施の形態と主に異なる点は、カバー体３の背面の一方の側端を前方に延長して形成した当接片１０を設けている。
当接片１０のない場合は、菜箸６を水平にして挿入する時に、常に壁部に平行の状態で横向きの状態で正面から挿入することは難しいので、菜箸６の先部７が把握部８より先に壁部５に近づいて接触することがあり、汁が壁部５に付着する。しかし当接片１０を設けることにより菜箸６の先部７の汁の付着していない部分が当接片１０に当接して停止し、更に菜箸６を押し込むと菜箸６の把持部8の側だけが深く挿入されるので、菜箸６の先部７は壁部５に接触することがなく、従って汁が壁部５に付着して汚すということはない。    
図６及び図７、図８では、右利きの人が使用する時の図であるが、取り付けを１８０度回転させれば、左利きの人も菜箸６を一端持ち替えることなく挿入できる。他の調理小物においても同様の効果が得られる。
【００１７】
図９における本発明の第４の実施の形態において、前記本発明の第３の実施の形態と主に異なる点は、カバー体３を円筒様に形成しカバー体３の背面と円筒面を一体に接続して当接片１０を形成しているので、前記第３の実施の形態と同様な作用効果が得られる。  
【００１８】
図１０における本発明の第５の実施の形態において、前記本発明の第１の実施の形態と主に異なる点は、カバー体３の内部の平面部１１とカバー体３に保持された押圧体１の平面を対向させその間に菜箸６を挿入させて保持するようにしたものである。また、カバー体３の背面の一方の側端を前方に延長して平面部１１と押圧体１の平面に跨るように形成しているので、前記第３の実施の形態と同様な作用効果が得られる。
【産業上の利用可能性】
【００１９】
調理小物は家庭料理作業に欠かせないので本発明は料理中に調理小物の置き場所を考える煩わしさから開放されるが、料理店でも清潔な調理を期待できるので、衛生面を考えると業務用としても有効に活用できる。 
【図面の簡単な説明】
【００２０】
【図１】第1の実施の形態における菜箸を保持した状態の斜視図。
【図２】第1の実施の形態におけるスプーンを保持した状態の斜視図。
【図３】第１の実施の形態における菜箸を保持した状態の平面図。
【図４】第１の実施の形態における側面図。
【図５】第２の実施の形態における側面図。
【図６】第３の実施の形態における菜箸を保持した状態の平面図。
【図７】第３の実施の形態における側面図。
【図８】第３の実施の形態における菜箸を保持した状態の斜視図。
【図９】第４の実施の形態における斜視図。
【図１０】第５の実施の形態における斜視図。
【符号の説明】
【００２１】
１、  押圧体
２、  平面部
２ａ、稜線
３、  カバー体
４、  吸盤
５、  壁部
６、  菜箸
６ａ、スプーン
７、  先部
８、  把持部
９、  棚部
１０、当接片
１１、平面部
Ａ、  調理小物保持具
Ｂ、  挿入方向
【図１】
2005278967.tif 000003
【図２】
2005278967.tif 000004
【図３】
2005278967.tif 000005
【図４】
2005278967.tif 000006
【図５】
2005278967.tif 000007
【図６】
2005278967.tif 000008
【図７】
2005278967.tif 000009
【図８】
2005278967.tif 000010
【図９】
2005278967.tif 000011
【図１０】
2005278967.tif 000012